(57)【要約】【課題】雨戸の防音及び防犯機能を十分に発揮させる雨戸の防音防犯装置を提供する。【解決手段】一対の板状体１２、１３からなり各板状体１２、１３に互いに対向する対向部１２ａ、１３ａが配設された雨戸１１の防音防犯装置１において、対向部１２ａ、１３ａに配設される一対の磁石２、３であって、一方の対向部１２ａの磁石２と、該一方の対向部１２ａの磁石２と対向する位置の他方の対向部１３ａの磁石３とが、互いに異なる磁極にされた一対の磁石２、３を具え、該互いに異なる磁極にされた一対の磁石２、３間に生じる磁力の引力によって、一対の板状体１２、１３を互いに密着させるようにしている。【選択図】図１
0003109101.tif 000002
【実用新案登録請求の範囲】
【請求項１】
一対の板状体からなり前記各板状体に互いに対向する対向部が配設された雨戸の防音防犯装置において、
前記対向部に配設される一対の磁石であって、一方の対向部の磁石と、該一方の対向部の磁石と対向する位置の他方の対向部の磁石とが、互いに異なる磁極にされた一対の磁石
を具え、
該互いに異なる磁極にされた一対の磁石間に生じる磁力の引力によって、前記一対の板状体を互いに密着させるようにしたことを特徴とする雨戸の防音防犯装置。
【考案の詳細な説明】
【技術分野】
【０００１】
本考案は、雨戸の防音及び防犯機能を十分に発揮させる雨戸の防音防犯装置に関するものである。
【背景技術】
【０００２】
従来から、建造物の窓や縁側の外側に立てられ、該窓や縁側を覆う戸として、雨戸がある。  
この雨戸は、通常、風雨を防ぐ目的、飛来物の侵入を防ぐ目的、外音を防ぐ目的、外視を防ぐ目的、防犯目的で使用される。  
また、この雨具には、ルーバー雨戸、ルーバー鏡板付き雨戸、パネル雨戸、ガラリ雨戸等の様々な種類の雨戸がある。  
なお、雨戸の材質も、木製、アルミ鋼板製、ステンレス製など、様々である。
【０００３】
図６は、従来の雨戸を示す概念斜視図である。  
図６で示すように、従来の雨戸１１は、住宅等の建造物の窓や縁側（図示しない）の外側に立てられ、これにより該窓又は縁側（以下、「窓等」という。）を覆っている。
【０００４】
この雨戸１１は、一対の板状体１２、１３から構成されている。  
また、この一対の板状体１２、１３は、木材、アルミ鋼板、又はステンレス等によって形成されている。
【０００５】
図７は、図６の雨戸の概念破断図である。特に図７（ａ）は、一対の板状体を互いに当接させ、該一対の板状体により窓等を覆った様子を示す雨戸の要部断面図であり、また図７（ｂ）は、一対の板状体を離間して窓等を開放した様子を示す雨戸の要部斜視図である。なお、図７では、図６と同一部分を同一符号で示しており、図７でも図６と同様、窓等の図示を省略している。
【０００６】
図７（ａ）及び図７（ｂ）で示すように、一対の板状体１２、１３には、互いに対向する一対の対向部１２ａ、１３ａが形成されている。  
この各対向部１２ａ、１３ａは、図６で示すように、雨戸１１の高さ方向に沿って延設されている。
【０００７】
また、図６及び図７（ａ）で示すように、この雨戸１１では、一対の対向部１２ａ、１３ａの対向面１２ｂ、１３ｂを互いに当接させ、該当接した一対の板状体１２、１３により、該板状体１２、１３の背面側にの上記等を覆うようにしている。そして、これにより建造物内部への風雨の侵入を防いだり、飛来物の侵入を防いだり、外音を防いだり、外視を防いだり、又は防犯機能を果たすようにしている。
【０００８】
なお、雨戸１１は、通常、各板状体１２、１３の底部１２ｆ、１３ｆ（図６）を、上記窓等に形成された図示せぬ溝（ドブ溝又は７分溝をいう。以下同じ。）に嵌合させ、これにより上記窓等に配置される。
【考案の開示】
【考案が解決しようとする課題】
【０００９】
ところで、上述した従来の雨戸１１は、板状体１２、１３の各対向部１２ａ、１３ａの対向面１２ｂ、１３ｂを互いに当接させ、該当接した一対の板状体１２、１３により窓等を覆う構造であるから、各板状体１２、１３がそれぞれ風によって振動することがあり、該振動により振動音が発生することがあった。  
そのため、従来の雨戸１１では、防音機能が十分でないという問題があった。
【００１０】
また、従来の雨戸１１は、板状体１２、１３の各対向部１２ａ、１３ａの対向面１２ｂ、１３ｂを互いに当接させ、該当接した一対の板状体１２、１３により上記窓等を覆う構造であるから、各板状体１２、１３が個々に上記溝内を移動して一対の板状体１２、１３間に隙間が形成され易く、そのため隙間風が発生し、これにより雑音が発生することがあった。  
そのため、従来の雨戸１１では、防音機能が十分でないという問題があった。
【００１１】
また、従来の雨戸１１は、板状体１２、１３の各対向部１２ａ、１３ａの対向面１２ｂ、１３ｂを互いに当接させ、該当接した一対の板状体１２、１３により上記窓等を覆う構造であるから、各板状体１２、１３の底部１２ｆ、１３ｆ（図６）と、該底部１２ｆ、１３ｆに嵌合する上記溝との間に、バールやネジ廻し等の工具をそれぞれ差し込むと、各板状体１２、１３をそれぞれ簡単に上記溝から外して持ち上げることができ、これにより窃盗犯等の侵入者が上記窓等から進入することが容易であった。  
そのため、従来の雨戸１１では、防犯機能が十分でないという問題があった。
【００１２】
上述した事情に鑑み、本考案は、雨戸の防音及び防犯機能を十分に発揮させる雨戸の防音防犯装置を提供することを目的とする。
【課題を解決するための手段】
【００１３】
上述した課題を解決するため、本考案の雨戸の防音防犯装置は、一対の板状体からなり前記各板状体に互いに対向する対向部が配設された雨戸の防音防犯装置において、前記対向部に配設される一対の磁石であって、一方の対向部の磁石と、該一方の対向部の磁石と対向する位置の他方の対向部の磁石とが、互いに異なる磁極にされた一対の磁石を具え、該互いに異なる磁極にされた一対の磁石間に生じる磁力の引力によって、前記一対の板状体を互いに密着させるようにしている。
【考案の効果】
【００１４】
本考案の雨戸の防音防犯装置は、一対の板状体からなり前記各板状体に互いに対向する対向部が配設された雨戸の防音防犯装置において、前記対向部に配設される一対の磁石であって、一方の対向部の磁石と、該一方の対向部の磁石と対向する位置の他方の対向部の磁石とが、互いに異なる磁極にされた一対の磁石を具え、該互いに異なる磁極にされた一対の磁石間に生じる磁力の引力によって、前記一対の板状体を互いに密着させるようにしているから、一対の板状体がそれぞれ風によって振動し該振動に基づいて振動音が発生する虞を従来に比し可及的に防止できるとともに、従来に比し、各板状体が個々に上記溝内を移動して一対の板状体間に隙間が形成される虞が少なくなり、これにより隙間風が発生して雑音が発生する虞を従来に比し可及的に防止でき、さらに、密着した一対の板状体は、各板状体それぞれに比し重量が重いため、各板状体の底部と、該底部に嵌合する窓等の溝との間に工具を差し込んだ場合に、各板状体をそれぞれ簡単に前記溝から外して持ち上げることが困難となって侵入者が窓等から進入することを従来に比し可及的に防止できる。
【００１５】
そのため、本考案の雨戸の防音防犯装置によれば、雨戸の防音及び防犯機能を十分に発揮させることができる。
【考案を実施するための最良の形態】
【００１６】
本考案の雨戸の防音防犯装置について、以下の実施例で詳述する。
【００１７】
図1は、本考案の実施例の雨戸の防音防犯装置を配設した雨戸の概念破断図である。特に、図１（ａ）は、一対の板状体を一対に磁石により互いに密着させ、該一対の板状体により窓等を覆った様子を示す雨戸の要部断面図であり、また図１（ｂ）は、一対の板状体を離間して窓等を開放した様子を示す雨戸の要部斜視図である。なお、図１では、図６及び図７と同一部分を同一符号で示している。また、図１でも図６及び図７と同様に、窓等の図示を省略している。
【００１８】
この雨戸１１は、従来と同様に、住宅等の建造物の窓等（図示しない）の外側に立てられ、これにより該窓等を覆っている。  
また図１（ａ）及び図１（ｂ）で示すように、雨戸１１は、一対の板状体１２、１３を具えている。  
この一対の板状体１２、１３には、それぞれ、互いに対向する一対の対向部１２ａ、１３ａが形成されている。この各対向部１２ａ、１３ａは、従来と同様に、雨戸１１の高さ方向に沿って延設されている（後述する図２参照）。
【００１９】
また、この雨戸１１には、雨戸の防音防犯装置１が配設されている。
【００２０】
図１（ａ）及び図１（ｂ）で示すように、この雨戸の防音防犯装置１は、一対の磁石２、３を具えている。この一対の磁石２、３は、各対向部１２ａ、１３ａの対向面１２ｂ、１３ｂにそれぞれ配設されている磁石板からなる。  
また、この一対の磁石２、３は、図１と同一部分を同一符号で示す図２のように、いずれも、対向部１２ａ、１３ａの延設方向に沿って配設されており、また対向部１２ａ、１３ａの一端から他端までそれぞれ延設されている。  
なお、各磁石２、３の板厚は、例えば０．２ｍｍ〜１．０ｍｍである。
【００２１】
また、図２で示すように、一対の磁石２、３のうち、一方の対向部１２ａの一端に位置する磁石２はＮ極に設定されており、一方の対向部１２ａの他端に位置する磁石２がＳ極に設定されている。そして、磁石２の上記一端から上記他端に向けて徐々に磁極がＮ極からＳ極に移行するように磁石２の磁力が設定されている。  
また、図２で示すように、上記一方の対向部１２ａの一端に対応する位置の他方の対向部１３ａの一端の磁石３はＳ極に設定されており、また、上記一方の対向部１２ａの他端に対応する位置の他方の対向部１３ａの他端の磁石３はＮ極に設定されている。そして、対向部１３ａの上記一端から上記他端に向けて徐々に磁極がＳ極からＮ極に移行するように磁石３の磁力が設定されている。
【００２２】
そしてこの構成により、一方の対向部１２の磁石２と、該一方の対向部１２の磁石２と対向する位置の他方の対向部１３の磁石３とが、互いに異なる磁極にされている。  
そのため、一対の板状体間を互いに近づけると、磁石２の対向面２ｂと磁石３の対向面３ｂとが、互いに異なる磁極にされた一対の磁石２、３間に生じる磁力の引力（図２の矢印参照）によって当接し、これにより、図１（ａ）で示すように、一対の板状体１２、１３が互いに密着する。そして、この密着した一対の板状体１２、１３によって上記窓等は覆われることとなる。  
このように、一方の対向部１２ａの磁石２と、該一方の対向部１２ａの磁石２と対向する位置の他方の対向部１３ａの磁石３とが、互いに異なる磁極にされているから、一対の板状体１２、１３間を互いに近づけると、磁石２の対向面２ｂと磁石３の対向面３ｂとが、互いに異なる磁極にされた一対の磁石２、３間に生じる磁力の引力によって互いに当接し、これにより、一対の板状体１２、１３が互いに密着する。  
そのため、従来のように一対の板状体１２、１３がそれぞれ風によって振動することは可及的に防止され、これにより該振動に基づいて振動音が発生する虞を可及的に防止できる。  
したがって、この雨戸の防音防犯装置１によると、雨戸１１の防音機能を十分に発揮させることができる。
【００２３】
なお、図１（ｂ）では、説明の便宜上、各磁石２、３の一部がそれぞれ対向部１２ａ、１３ａの対向面１２ｂ、１３ｂから剥離した様子を示している。    なお、上記した図２は、雨戸の防音防犯装置が配設された雨戸を示す概念平面図であって、特に、離間している一対の板状体を互いに近づけた場合に、該一対の板状体が一対の磁石によって引き合う様子を図示している。
【００２４】
また、上記したように、雨戸の防音防犯装置１を配置した雨戸１１では、一対の磁石２、３間に生じる磁力の引力によって一対の板状体１２、１３が互いに密着するから、従来に比し、各板状体１２、１３が上記溝内を個々に移動して一対の板状体１２、１３間に隙間が形成される虞が少なくなる。そのため、従来に比し、隙間風が発生する虞を可及的に防止でき、これにより雑音が発生する虞を可及的に防止できる。  
したがって、この雨戸の防音防犯装置１によると、雨戸１１の防音機能を十分に発揮させることができる。
【００２５】
また、雨戸の防音防犯装置１を配置した雨戸１１では、一対の磁石２、３間に生じる磁力の引力によって一対の板状体１２、１３が互いに密着するから、密着した板状体１２、１３は、各板状体１２、１３それぞれに比し重量が重く、そのため、各板状体１２、１３の底部１２ｆ、１３ｆ（図２）と、該底部１２ｆ、１３ｆに嵌合する上記溝との間に、バールやネジ廻し等の工具を差し込んだ場合に、各板状体１２、１３をそれぞれ簡単に上記溝から外して持ち上げることが従来に比し困難になる。そのため、窃盗犯等の侵入者が窓等から進入することを従来に比し可及的に防止できる。  
したがって、この雨戸の防音防犯装置１によると、雨戸１１の防犯機能を十分に発揮させることができる。
【００２６】
以上で説明したように、一対の板状体１２、１３からなり各板状体１２、１３に互いに対向する対向部１２ａ、１３ａが配設された雨戸１１の防音防犯装置１において、対向部１２ａ、１３ａに配設される一対の磁石２、３であって、一方の対向部１２ａの磁石２と、該一方の対向部１２ａの磁石２と対向する位置の他方の対向部１３ａの磁石３とが、互いに異なる磁極にされた一対の磁石２、３を具え、該互いに異なる磁極にされた一対の磁石２、３間に生じる磁力の引力によって、一対の板状体１２、１３を互いに密着させるようにしているから、一対の板状体１２、１３がそれぞれ風によって振動し該振動に基づいて振動音が発生する虞を従来に比し可及的に防止できるとともに、従来に比し、各板状体１２、１３が上記溝内を個々に移動して一対の板状体１２、１３間に隙間が形成される虞が少なくなり、これにより隙間風が発生して雑音が発生する虞を従来に比し可及的に防止でき、さらに、密着した一対の板状体１２、１３は、各板状体１２、１３それぞれに比し重量が重いため、各板状体１２、１３の底部１２ｆ、１３ｆ（図２）と、該底部１２ｆ、１３ｆに嵌合する上記溝との間に工具を差し込んだ場合に、各板状体１２、１３をそれぞれ簡単に前記溝から外して持ち上げることが困難となって侵入者が窓等から進入することを従来に比し可及的に防止できる。  
そのため、本考案の雨戸の防音防犯装置１によれば、雨戸１１の防音及び防犯機能を十分に発揮させることができる。
【００２７】
なお、上記した雨戸の防音防犯装置の磁石２、３は、雨戸１１の対向部１２ａ、１３ａの対向面１２ｂ、１３ｂの幅方向全体に、それぞれ配設されているものとして説明したが、この考案の雨戸の防音防犯装置の磁石２、３は、各雨戸２１、３１の対向部１２ａ、１３ａの対向面１２ｂ、１３ｂの幅方向の一部に、それぞれ配設されていてもよい。
【００２８】
図３は、図１の雨戸とは対向部の形状が異なる別の雨戸に、本考案の雨戸の防音防犯装置を配設した様子を示す概念破断図であり、特に雨戸の各対向部の対向面の幅方向の一部に磁石を配設した様子を示す概念図である。また特に、図３（ａ）は、一対の板状体を一対に磁石により互いに密着させ、該一対の板状体により窓等を覆った様子を示す雨戸の要部断面図であり、また図３（ｂ）は、一対の板状体を離間して窓等を開放した様子を示す雨戸の要部斜視図である。  
なお、図３（ｂ）でも、説明の便宜上、各磁石２、３の一部がそれぞれ対向部１２ａ、１３ａの対向面１２ｂ、１３ｂから剥離した様子を示している。また、図３では図１及び図２と同一部分を同一符号で示している。
【００２９】
図３（ａ）及び図３（ｂ）で示すように、雨戸３１は、図１の雨戸１１とは別の雨戸であって、各対向部１２ａ、１３ａの対向面１２ｂ、１３ｂにそれぞれ凸部２３、凹部２４が形成されたものである。また、図３（ａ）で示すように、互いに対向する凸部２３と凹部２４は、一対の板状対１２、１３が密着した場合に嵌合するものである。
【００３０】
また図３（ａ）及び図３（ｂ）で示すように、この雨戸３１の各対向部１２ａ、１３ａの対向面１２ｂ、１３ｂの幅方向の一部には、雨戸の防音防犯装置１の磁石２、３がそれぞれ配設されており、そのため、図３（ａ）で示すように、互いに対向する対向部１２ａ、１３ａを近づけると、この一対の磁石２、３の磁力の引力によって、磁石２、３の対向面２ｂ、３ｂが互いに当接し、これにより一対の板状体１２、１３は互いに密着する。そのため、この雨戸の防音防犯装置１によると、上記雨戸１１の場合と同様に、雨戸３１の防音及び防犯機能が十分に発揮されることとなる。
【００３１】
また、図４は、図１及び図３の雨戸とは対向部の形状が異なる別の雨戸に、本考案の雨戸の防音防犯装置を配設した様子を示す概念破断図であり、特に雨戸の各対向部の対向面の幅方向の一部に磁石を配設した様子を示す概念図である。また特に、図４（ａ）は、一対の板状体を一対の磁石により互いに密着させ、該一対の板状体により窓等を覆った様子を示す雨戸の要部断面図であり、また図４（ｂ）は、一対の板状体を離間して窓等を開放した様子を示す雨戸の要部斜視図である。  
なお、図４（ｂ）でも、説明の便宜上、各磁石２、３の一部がそれぞれ対向部１２ａ、１３ａの対向面１２ｂ、１３ｂから剥離した様子を示している。 
なお、図４では、図１乃至図３と同一部分を同一符号で示している。
【００３２】
図４（ａ）及び図４（ｂ）で示すように、雨戸４１は、その各対向部１２ａ、１３ａの対向面１２ｂ、１３ｂに、凸部２３と凹部２４とがそれぞれ配設されているものである。なお、図４（ａ）で示すように、互いに対向する凸部２３と凹部２４は、一対の板状対２、１３が密着した場合に嵌合するものである。
【００３３】
図４（ａ）及び図４（ｂ）で示すように、この雨戸４１の各対向部１２ａ、１３ａの対向面１２ｂ、１３ｂの幅方向の一部には、雨戸の防音防犯装置１の磁石２、３がそれぞれ配設されており、そのため、図４（ａ）で示すように、互いに対向する対向部１２ａ、１３ａを近づけると、この一対の磁石２、３の磁力の引力によって、磁石２、３の対向面２ｂ、３ｂが互いに当接し、これにより一対の板状体１２、１３は互いに密着する。そのため、この雨戸の防音防犯装置１によると、上記雨戸１１、３１の場合と同様に、雨戸４１の防音及び防犯機能が十分に発揮されることとなる。
【００３４】
また、上記した雨戸の防音防犯装置１では、磁石２、３をそれぞれ各対向部１２ａ、１３ａの対向面１２ｂ、１３ｂに直接配設することとしたが、この雨戸の防音本防犯装置１の磁石２、３は、雨戸５１の各対向部１２ａ、１３ａの対向面１２ｂ、１３ｂに、中継部材を介して配設されるものであってもよい。
【００３５】
図５は、図１、図３及び図４の各雨戸とは各対向部の形状が異なる別の雨戸に、中継部材を介して、本考案の雨戸の防音防犯装置の磁石を配設した様子を示す概念破断図である。特に、図５（ａ）は、一対の板状体を一対の磁石により互いに密着させ、該一対の板状体により窓等を覆った様子を示す雨戸の要部断面図であり、また図５（ｂ）は、一対の板状体を離間して窓等を開放した様子を示す雨戸の要部斜視図である。  
なお、図５（ｂ）では、説明の便宜上、各磁石２、３の一部がそれぞれ中継部材５２、５３から剥離した様子を示している。  
なお、図５では、図１乃至図４と同一部分を同一符号で示している。
【００３６】
図５（ａ）及び図５（ｂ）で示すように、雨戸５１は、上述した雨戸１１、３１、４１とは各対向部１２ａ、１３ａの形状が異なる別の雨戸である。なお、図５（ａ）で示すように、この対向部１２ａ、１３ａの幅方向両端には、一対の板状対２、１３が密着した場合に互いに係合する係合突起（符号の図示をしない）が形成されている。
【００３７】
また、図５（ａ）及び図５（ｂ）で示すように、この雨戸５１の各対向部１２ａ、１３ａの対向面１２ｂ、１３ｂには、中継部材５２、５３を介して、雨戸の防音防犯装置１の磁石２、３がそれぞれ配設されており、そのため、図５（ａ）で示すように、この一対の磁石２、３の磁力の引力によって、磁石２、３の対向面２ｂ、３ｂが互いに当接し、これにより一対の板状体１２、１３は互いに密着する。そのため、この雨戸の防音防犯装置１によると、上記雨戸１１、３１、４１と同様に、雨戸５１の防音及び防犯機能が十分に発揮されることとなる。  
なお、上記した図３乃至図５では、図１、図２、図６及び図７と同様、窓等の図示を省略している。
【００３８】
なお、上記した雨戸の防音防犯装置１が適用される雨戸１１、３１、４１、５１は、いずれも各板状体１２、１３の本体と対向部１２ａ、１３ａとを別体として図示し説明しているが、本考案の雨戸の防音防犯装置１が適用される雨戸１１、３１、４１、５１は、各板状体１２、１３の本体と対向部１２ａ、１３ａとが一体形成されたものでもよいことは勿論である。
【００３９】
また、上記した雨戸の防音防犯装置１では、雨戸１１、３１、４１、５１の各対向部１２ａ、１３ａの対向面１２ｂ、１３ｂの延設方向に沿ってその一端から他端まで、磁石２、３を延設することとして説明したが、この考案の雨戸の防音防犯装置の磁石２、３は、各雨戸２１、３１の各対向部１２ａ、１３ａの対向面１２ｂ、１３ｂの延設方向の一部に、それぞれ配設されていてよく、そのような雨戸の防音防止装置１によっても、上述した場合と同様に、雨戸の防音及び防犯機能が十分に発揮されることは勿論である。
【００４０】
なお、本考案の雨戸の防音防犯装置１では、磁石２、３を各対向面１２ｂ、１３ｂ又は各中継部材５２、５３に配設する手段は特に限定しないが、例えば磁石２、３は、例えば接着剤によって、各対向面１２ｂ、１３ｂ又は各中継部材５２、５３に貼着するようにしてもよい。
【００４１】
また、上記した雨戸の防音防犯装置１では雨戸１１、３１、４１、５１の各対向部１２ａ、１３ａの形状を特定して説明したが、この考案の雨戸の防音防犯装置が適用される雨戸の各対向部１２ａ、１３ａの形状は、上記した形状に限定されないことは勿論である。
【００４２】
なお、上記した雨戸の防音防犯装置１が適用される雨戸１１、３１、４１、５１の材質については特に説明していないが、雨戸１１、２１、３１、４１、５１は、木材、アルミ鋼板、又はステンレス等どのような材質のものであってもよいことは勿論である。
【００４３】
また、上記した雨戸の防音防犯装置１が適用される雨戸１１、３１、４１、５１の種類についても特に説明していないが、雨戸１１、３１、４１、５１は、ルーバー雨戸、ルーバー鏡板付き雨戸、パネル雨戸、ガラリ雨戸等どのような種類の雨戸であってもよいことは勿論である。
【産業上の利用可能性】
【００４４】
本考案の雨戸の防音防犯装置は、一対の磁石の引力によって、雨戸の一対の板状体を密着させるようにしたものであるため、上記した外音を防ぐ用途や防犯の用途以外の用途、例えば、風雨の侵入を防ぐ用途、飛来物の侵入を防ぐ用途、外視を防ぐ用途等にも利用できる。
【図面の簡単な説明】
【００４５】
【図１】図1は、本考案の実施例の雨戸の防音防犯装置を配設した雨戸の概念破断図である。特に、図１（ａ）は、一対の板状体を互いに密着させ、該一対の板状体により窓等を覆った様子を示す雨戸の要部断面図であり、また図１（ｂ）は、一対の板状体を離間して窓等を開放した様子を示す雨戸の要部斜視図である。
【図２】図２は、雨戸の防音防犯装置が配設された雨戸を示す概念平面図であって、特に、離間している一対の板状体を互いに近づけた場合に、該一対の板状体が一対の磁石によって引き合う様子を示す図である。
【図３】図３は、図１の雨戸とは対向部の形状が異なる別の雨戸に、本考案の雨戸の防音防犯装置を配設した様子を示す概念破断図であり、特に雨戸の各対向部の対向面の幅方向の一部に磁石を配設した様子を示す概念図である。また特に、図３（ａ）は、一対の板状体を互いに密着させ、該一対の板状体により窓等を覆った様子を示す雨戸の要部断面図であり、また図３（ｂ）は、一対の板状体を離間して窓等を開放した様子を示す雨戸の要部斜視図である。
【図４】図４は、図１及び図３の雨戸とは対向部の形状が異なる別の雨戸に、本考案の雨戸の防音防犯装置を配設した様子を示す概念破断図であり、特に雨戸の各対向部の対向面の幅方向の一部に磁石を配設した様子を示す概念図である。また特に、図４（ａ）は、一対の板状体を互いに密着させ、該一対の板状体により窓等を覆った様子を示す雨戸の要部断面図であり、また図４（ｂ）は、一対の板状体を離間して窓等を開放した様子を示す雨戸の要部斜視図である。
【図５】図５は、図１、図３及び図４の各雨戸とは各対向部の形状が異なる別の雨戸に、中継部材を介して、本考案の雨戸の防音防犯装置の磁石を配設した様子を示す概念破断図である。特に、図５（ａ）は、一対の板状体を互いに密着させ、該一対の板状体により窓等を覆った様子を示す雨戸の要部断面図であり、また図５（ｂ）は、一対の板状体を離間して窓等を開放した様子を示す雨戸の要部斜視図である。
【図６】図６は、従来の雨戸を示す概念斜視図である。
【図７】図７は、図６の雨戸の概念破断図である。特に図７（ａ）は、一対の板状体を互いに当接させ、該一対の板状体により窓等を覆った様子を示す要部断面図であり、また図７（ｂ）は、一対の板状体を離間して窓等を開放した様子を示す要部斜視図である。
【符号の説明】
【００４６】
１…雨戸の防音防犯装置
２、３…一対の磁石
１１、３１、４１、５１…雨戸
１２、１３…一対の板状体
１２ａ、１３ａ…対向部
【図１】
0003109101.tif 000003
【図２】
0003109101.tif 000004
【図３】
0003109101.tif 000005
【図４】
0003109101.tif 000006
【図５】
0003109101.tif 000007
【図６】
0003109101.tif 000008
【図７】
0003109101.tif 000009